(57)【要約】【課題】従来表示されていなかった衣服等の製造年月日又は製造年月を抹消不可能に表示した下札を提供し、衣服等の購入時における種々のトラブルを解消し得る下札を提供する。【解決手段】下札には従来表示されていた品質，品番，サイズ，製造元等の表示項目２の他に製造年月日（製造年月）３ａを抹消不可能に表示する。これにより、販売元側は販売時において必要の処置を正確に行うことができ、購入者側も衣服の製造年月日等をあらかじめ承知してその衣服を購入することができ、製造年月日３ａ等が不明のまま購入することによるトラブルを解消することができる。【選択図】図２
2006146129.tif 000002
【特許請求の範囲】
【請求項１】
衣服に吊下げ固定され、その衣服の品質，カラー，サイズ，価格，特徴，メーカ名，製造元等を印刷表示する下札であって、該下札はその衣服の製造年月日又は製造年月が目視又は検出可能に表示されることを特徴とする下札
【請求項２】
前記製造年月日又は製造年月が、バーコードで表示されることを特徴とする請求項１に記載の下札。
【請求項３】
前記製造年月日又は製造年月が、抹消不可能の形態で形成されることを特徴とする請求項１に記載の下札。
【請求項４】
前記抹消不可能の形態が、前記製造年月日又は製造年月を下札の紙面を貫通する孔群によって形成されるか、焼付けによるものからなることを特徴とする請求項３に記載の下札。
【発明の詳細な説明】
【技術分野】
【０００１】
本発明は、衣服に吊下げ固定される下札に係り、特に衣服の製造年月日又は製造年月を明記してなる下札に関する。
【背景技術】
【０００２】
衣服にはその品質，サイズ，価格，メーカ名，製造元等を印刷した下札が吊下げ固定され、このことは義務づけられている。図４，図５は一般に使用されている下札を示す。即ち、図４の下札１ｃは短冊状の台紙４に品番，サイズ，品質，メーカ名（ＴＥＬ）等を印刷したものであり、紐５により衣服（図略）の裏側等に吊下げ固定されているものである。また、図５の下札１ｄはその会社のマーク（商標）や名称，特徴，メーカ名（ＴＥＬ）等を印刷したものからなり、紐５により衣服の裏側等に固定されるものである。以上の下札１ｃ，１ｄにより、衣服の購入者は購入した衣服の内容を知ることができる。また、下札に関する公知技術の１つとして「特許文献１」が挙げられる。この「下げ札」はその「図１」にあるように、品番，カラー，サイズ，値段やメーカを特定するバーコードが印刷されるものであり、その前記の下札１ｃ，１ｄの紐５を使用せず、その替りの係止片に特徴を有するものである。
【特許文献１】特開２００３−１３１５７７（図１）
【発明の開示】
【発明が解決しようとする課題】
【０００３】
前記のように従来の下札１ｃ，１ｄや「特許文献１」に開示する「下げ札」にはその衣服を特定する品質，サイズ，品番等が印刷表示されているが、本発明のように製造年月日や製作年月を表示するものでなく、他の下札にも製造年月日等を表示するものは見当らない。衣服を販売する場合、メーカ側としては当然ながらその衣服が新品であり、かつ最近製造されたものとして購入者側を納得させて販売している。購入者もその衣服が新品であり、最近製造されたものであると信じて購入している。しかしながら、衣服には流行もあり、複雑な流通ルートもあり、必ずしも最近製造されたもののみが販売されているとは限らない。勿論、新品であることは間違いないが、古いものが最近製造されたものとして販売されていることは事実である。勿論、古いものでも新品としての価値はあるが、販売側はその衣服の製造年月日や製造年月を購入者に明示することが必要であり、この場合についての価格の見直しや衣服に対する殺菌，清浄化等の処置を施していることを明確にする必要がある。この義務を販売側に負わせるためにはその衣服の製造年月日や製造年月を明示することが必要であるが、現在ではその表示が義務づけられていないし、そのような下札は存在していない。
【０００４】
本発明は、以上の事情に鑑みて発明されたものであり、衣服の下札に製造年月日や製造年月を特に抹消不可能に表示した下札を提供することを目的とする。
【課題を解決するための手段】
【０００５】
本発明は、以上の目的を達成するために、請求項１の発明は、衣服に吊下げ固定され、その衣服の品質，カラー，サイズ，価格，特徴，メーカ名，製造元等を印刷表示する下札であって、該下札はその衣服の製造年月日又は製造年月が目視又は検出可能に表示されることを特徴とする。
【０００６】
また、請求項２の発明は、前記製造年月日又は製造年月が、バーコードで表示されることを特徴とする。
【０００７】
また、請求項３の発明は、前記製造年月日又は製造年月が、抹消不可能の形態で形成されることを特徴とする。
【０００８】
また、請求項４の発明は、前記抹消不可能の形態が、前記製造年月日又は製造年月を下札の紙面を貫通する孔群によって形成されるか、焼付けによるものからなることを特徴とする。
【発明の効果】
【０００９】
本発明の請求項１の下札によれば、製造年月日や製造年月が下札に明示されているために、その衣服の製造された年月等を販売者側も購入者も確認することができ、その上で販売活動が納得されて行われることになり、製造年月日等が不明のために後に生ずる種々のトラブルを解消することができる。なお、製造年月日又は製造年月としたのは、製造日までを正確に表示しなくても前記トラブル等の発生を十分に解消し得るものと考えたためである。
【００１０】
また、本発明の請求項２の下札によれば、製造年月日や製造年月をそのまま表示せずにバーコードを用いることにより、製造年月日等を故意に抹消するようなトラブルを解消することができる。
【００１１】
また、本発明の請求項３の下札によれば、製造年月日等の表示はその抹消不可能のものとし、前記のトラブル等をなくすことができる。
【００１２】
また、本発明の請求項４の下札によれば、抹消不可能の手段として製造年月日等の表示を下札の台紙を貫通する札群によるか、焼付けによるものからなり、抹消を確実不可能にしトラブルの発生を防止するようにしている。なお、この貫通や焼付け方法としては各種のものがあるが、例えば、パンチング加工やレーザ加工によるものが挙げられる。
【発明を実施するための最良の形態】
【００１３】
以下、本発明の下札の実施の形態を図面を参照して詳述する。
【実施例１】
【００１４】
図１の下札１は、台紙４に前記の図４，図５等に示した従来の表示項目２の他に製造年月日や製造年月を表示するバーコード３を設けたものである。このバーコード３の内容は、既存のバーコードリーダにより容易に確認することができる。また、このバーコード３の作成は従来の技術により簡単に行われる。
【実施例２】
【００１５】
図２の下札１ａは、前記の表示項目２の他に製造年月日（製造年月）３ａを貫通した札群によって表示したものである。製造年月日３ａを貫通孔群により形成することにより、この内容を抹消することが不可能となる。なお、この貫通孔群の作成は既存の技術であるパンチング加工やレーザ加工等により容易に行われる。
【実施例３】
【００１６】
図３の下札１ｂは、前記の表示項目２の他に製造年月日（製造年月）３ｂを焼付け表示したものである。これにより、製造年月日等を抹消することが不可能となる。この形成は従来の加工技術による焼ゴテやレーザ加工等により容易に行われる。
【００１７】
製造年月日等を前記のような抹消不可能のものとしたが、この内容については前記の実施例に限定するものではなく、公知の加工技術が適用されることは勿論である。また、前記の実施例１，２，３の下札１，１ａ，１ｂは台紙４に固定される紐５によって衣服側に吊下げ固定されるが、紐５によらなくても勿論よい。
【産業上の利用可能性】
【００１８】
本発明の下札は衣服に吊下げ固定されるものとしたが、衣服に限らず、製造年月日等の表示のされていないその他の流通商品の下札として適用されるものであり、その利用範囲は広い。
【図面の簡単な説明】
【００１９】
【図１】本発明の一実施例を示す平面図。
【図２】本発明の他の実指令を示す平面図。
【図３】本発明の更に別の実施例を示す平面図。
【図４】従来の下札の一例を示す平面図。
【図５】従来の下札の他の例を示す平面図。
【符号の説明】
【００２０】
１    下札
１ａ  下札
１ｂ  下札
２    表示項目
３    製造年月日（製造年月）
３ａ  製造年月日（製造年月）
３ｂ  製造年月日（製造年月）
４    台紙
５    紐
【図１】
2006146129.tif 000003
【図２】
2006146129.tif 000004
【図３】
2006146129.tif 000005
【図４】
2006146129.tif 000006
【図５】
2006146129.tif 000007